(57)【要約】【課題】単語同士の類似性を考慮して、ユーザーの視聴履歴に応じた柔軟な番組推薦を行うことを可能にした番組ガイド方法、受信装置及び画像表示装置を提供する。【解決手段】デジタルテレビ放送の内、ユーザーが視聴又は録画した番組のＥＰＧ情報を履歴情報として視聴・録画番組履歴データベース（ＤＢ）２０に格納し、視聴・録画番組履歴データベース２０の履歴情報から名詞を含む情報を取り出してその出現頻度により好みベクトルを生成し、デジタルテレビ放送のＥＰＧの表示範囲の番組毎に、名詞を含む情報の出現頻度を求めて番組ベクトルを生成する。そして、番組ベクトルに所定の処理を施して参照ベクトルとして自己組織化マップに入力して特徴マップを生成し、好みベクトルに所定の処理を施して自己組織化マップに入力し、特徴マップの内、発火したニューロンの近傍に配置された番組を推薦番組として案内する。【選択図】図１
2007202023.tif 000002
【特許請求の範囲】
【請求項１】
視聴又は録画した番組のＥＰＧ情報を蓄積し、該蓄積されたＥＰＧ情報と、ＥＰＧに表示される番組のＥＰＧ情報との距離を自己組織化マップを用いて計測し、相対的に距離が近い番組を推奨番組として案内することを特徴とする番組ガイド方法。
【請求項２】
デジタルテレビ放送の内、ユーザーが視聴又は録画した番組のＥＰＧ情報を履歴情報として記憶手段に格納する工程と、
前記記憶手段に格納された番組の履歴情報から少なくとも名詞を含む情報を取り出し、前記情報の出現頻度を求めて好みベクトルを生成する工程と、
デジタルテレビ放送のＥＰＧの表示範囲の番組毎に、少なくとも名詞を含む情報の出現頻度を求めて番組ベクトルを生成する工程と、
前記番組ベクトルに第１の所定の処理を施して参照ベクトルとして自己組織化マップに入力して特徴マップを生成する工程と、
前記好みベクトルに第２の所定の処理を施して自己組織化マップに入力し、前記特徴マップの内、発火したニューロンの近傍に位置する番組を推薦番組として案内する工程と
を備えたことを特徴とする番組ガイド方法。
【請求項３】
前記第１の所定の処理として、全番組の番組ベクトルの各情報を統一し、且つ各情報の出現頻度を統一して表現し、再構成された番組ベクトルを生成し、前記第２の所定の処理として、前記好みベクトルを前記再構成された番組ベクトルと同じ表現形式に作り直して再構成された好みベクトルを生成する
ことを特徴とする請求項２記載の番組ガイド方法。
【請求項４】
デジタルテレビ放送を受信し、少なくとも選択されたチャンネル及びＥＰＧに関する情報を出力するチューナー部と、
前記情報からＥＰＧ情報を抽出して取得するＥＰＧ取得部と、
該ＥＰＧ取得部により取得されたＥＰＧ情報の内、前記チューナー部において選択されたチャネルの番組のＥＰＧ情報を履歴情報として格納する記憶手段と、
デジタルテレビ放送のＥＰＧを表示する際に、その表示範囲の番組毎に、少なくとも名詞を含む情報の出現頻度を求めて番組ベクトルを生成し、更に、全番組の番組ベクトルの各情報を統一し、且つ各情報の出現頻度を統一して表現し、再構成された番組ベクトルを生成する番組ベクトル演算手段と、
前記記憶手段に格納された番組の履歴情報から少なくとも名詞を含む情報を取り出し、前記情報の出現頻度を求めて好みベクトルを生成し、更に、前記好みベクトルを前記再構成された番組ベクトルと同じ表現形式に作り直して再構成された好みベクトルを生成する好みベクトル演算手段と、
前記再構成された番組ベクトルを参照ベクトルとして自己組織化マップに入力し、特徴マップを生成する特徴マップ生成手段と、
前記再構成された好みベクトルを自己組織化マップに入力し、前記特徴マップの内、発火したニューロンの近傍に位置する番組を推薦番組として出力する推奨番組検索部と
を備えたことを特徴とする受信装置。
【請求項５】
前記記憶手段に記憶された履歴情報を予め設定された規則に従って削除して更新する履歴情報忘却処理部を
備えたことを特徴とする請求項４記載の受信装置。
【請求項６】
前記記憶手段には視聴ユーザーごとに履歴情報が格納され又は全てのユーザーの履歴情報が一括して格納されることを特徴とする請求項４又は５記載の受信装置。
【請求項７】
前記番組ベクトル演算手段は名詞及び／又は人名に基づいた番組ベクトルを生成し、参照ベクトルとして前記特徴マップ生成部に出力する請求項４〜６の何れかに記載の受信装置。
【請求項８】
請求項４〜７の何れかに記載の受信装置と、
前記ＥＰＧ取得部により取得されたＥＰＧ情報と前記推奨番組検索部より出力された推奨番組の情報とに基づいてＥＰＧ画像を生成するＥＰＧ画像生成部と、
該ＥＰＧ画像生成部により生成されたＥＰＧ画像を、前記推奨番組を強調させながら表示する表示部と
を備えた画像表示装置。
【請求項９】
前記チューナー部において選択されたチャンネルの映像と、前記ＥＰＧ画像生成部により生成されたＥＰＧ画像とを合成して前記表示部に表示させる映像合成部
を備えたことを特徴とする請求項８記載の画像表示装置。
【発明の詳細な説明】
【技術分野】
【０００１】
本発明は、デジタルテレビ放送の番組ガイド方法、受信装置及びその受信装置を備えた表示装置に関し、特に、視聴又は録画した番組のＥＰＧ情報に基づいて推薦番組を案内するための処理に関する。
【背景技術】
【０００２】
近年ＣＳ放送やデジタル放送等の普及によりＴＶの多チャンネル化が進んでいる。そのため、ユーザーが興味を持っている番組を探し出すだけでも結構手間がかかる。そのため、よく見る番組と類似した番組を検索する手段が求められている。例えば、検索手段として、ユーザーの入力から、自動的にキーワードを抽出し検索をするシステムが提案されている（特許文献１参照）。
【特許文献１】特開２００１−２９０８４０号公報
【発明の開示】
【発明が解決しようとする課題】
【０００３】
上記の従来の検索方法（特許文献１）では、単語の出現頻度でキーワードの抽出が行われるため、単語同士の類似性が考慮されないという問題点があった。
【０００４】
本発明は、このような問題点を解決するためになされたものであり、単語同士の類似性を考慮して、ユーザーの視聴履歴に応じた柔軟な番組推薦を行うことを可能にした番組ガイド方法、受信装置及びその受信装置を備えた画像表示装置を提供することを目的とする。
【課題を解決するための手段】
【０００５】
本発明に係る番組ガイド方法は、視聴又は録画した番組のＥＰＧ（Electric Program Guide：電子番組表）情報を蓄積し、該蓄積されたＥＰＧ情報と、ＥＰＧに表示される番組のＥＰＧ情報との距離を自己組織化マップ（Self Organized map：以下SOMと略称することもある）を用いて計測し、相対的に距離が近い番組を推薦番組として案内する。本発明においては、自己組織化マップを用いて蓄積されたＥＰＧ情報と、ＥＰＧに表示される番組のＥＰＧ情報との距離を求めることにより、相互の情報の類似性を考慮した推薦番組の案内を可能にしており、ジャンルにとらわれず、ユーザーの視聴履歴に応じて柔軟な番組推薦を行うことができる。
【０００６】
本発明に係る番組ガイド方法は、デジタルテレビ放送の内、ユーザーが視聴又は録画した番組のＥＰＧ情報を履歴情報として記憶手段に格納する工程と、前記記憶手段に格納された番組の履歴情報から少なくとも名詞を含む情報を取り出し、前記情報の出現頻度を求めて好みベクトルを生成する工程と、デジタルテレビ放送のＥＰＧの表示範囲の番組毎に、少なくとも名詞を含む情報の出現頻度を求めて番組ベクトルを生成する工程と、前記番組ベクトルに第１の所定の処理を施して参照ベクトルとして自己組織化マップに入力して特徴マップを生成する工程と、前記好みベクトルに第２の所定の処理を施して自己組織化マップに入力し、前記特徴マップの内、発火したニューロンの近傍に位置する番組を推薦番組として案内する工程とを備えたものである。本発明においては、記憶手段に格納された番組の履歴情報から少なくとも名詞を含む情報を取り出し、その情報の出現頻度を求めて好みベクトルを生成し、また、デジタルテレビ放送のＥＰＧの表示範囲の番組毎に、少なくとも名詞を含む情報の出現頻度を求めて番組ベクトルを生成し、その番組ベクトルに第１の所定の処理を施したものを参照ベクトルとして自己組織化マップに入力して特徴マップを生成するとともに、好みベクトルに第２の所定の処理を施して自己組織化マップに入力し、特徴マップの内、発火したニューロンの近傍に位置する番組を推薦番組として案内するようにしたので、好みベクトルに類似した番組ベクトルを抽出することができ、ジャンルにとらわれず、ユーザーの視聴履歴に応じて柔軟な番組推薦を行うことができる。
【０００７】
本発明に係る番組ガイド方法は、前記第１の所定の処理として、全番組の番組ベクトルの各情報を統一し、且つ各情報の出現頻度を統一して表現し、再構成された番組ベクトルを生成し、前記第１の所定の処理として、前記好みベクトルを前記再構成された番組ベクトルと同じ表現形式に作り直して再構成された好みベクトルを生成する。
【０００８】
本発明に係る受信装置は、デジタルテレビ放送を受信し、少なくとも選択されたチャンネル及びＥＰＧに関する情報を出力するチューナー部と、前記情報からＥＰＧ情報を抽出して取得するＥＰＧ取得部と、該ＥＰＧ取得部により取得されたＥＰＧ情報の内、前記チューナー部において選択されたチャンネルの番組のＥＰＧ情報を履歴情報として格納する記憶手段と、デジタルテレビ放送のＥＰＧを表示する際に、その表示範囲の番組毎に、少なくとも名詞を含む情報の出現頻度を求めて番組ベクトルを生成し、更に、全番組の番組ベクトルの各情報を統一し、且つ各情報の出現頻度を統一して表現し、再構成された番組ベクトルを生成する番組ベクトル演算手段と、前記記憶手段に格納された番組の履歴情報から少なくとも名詞を含む情報を取り出し、前記情報の出現頻度を求めて好みベクトルを生成し、更に、前記好みベクトルを前記再構成された番組ベクトルと同じ表現形式に作り直して再構成された好みベクトルを生成する好みベクトル演算手段と、前記再構成された番組ベクトルを参照ベクトルとして自己組織化マップに入力し、特徴マップを生成する特徴マップ生成手段と、前記再構成された好みベクトルを自己組織化マップに入力し、前記特徴マップの内、発火したニューロンの近傍に位置する番組を推薦番組として出力する推薦番組検索部とを備えたものである。
【０００９】
本発明に係る受信装置は、前記記憶手段に記憶された履歴情報を予め設定された規則に従って削除して更新する履歴情報忘却処理部を更に備えたものである。本発明においては、前記記憶手段に記憶された履歴情報を更新して最新の視聴履歴が得られるようにしているので、嗜好が変わったり、或いは番組自体が変わったりした場合においても対応できる。
【００１０】
本発明に係る受信装置において、前記記憶手段には視聴ユーザーごとに履歴情報が格納され又は全てのユーザーの履歴情報が一括して格納される。本発明においては、例えば視聴ユーザーごとに履歴情報が蓄積することにより、個人の嗜好に対応した推薦番組を案内することができる。或いは、全てのユーザーの履歴情報を一括して蓄積することにより例えば家族の嗜好に対応した推薦番組を案内することができる。
【００１１】
本発明に係る受信装置において、前記番組ベクトル演算手段は名詞及び／又は人名に基づいた番組ベクトルを生成し、参照ベクトルとして前記特徴マップ生成部に出力する。
【００１２】
本発明に係る画像表示装置は、上記の受信装置と、前記ＥＰＧ取得部により取得されたＥＰＧ情報と前記推薦番組検索部より出力された推薦番組の情報とに基づいてＥＰＧ画像を生成するＥＰＧ画像生成部と、該ＥＰＧ画像生成部により生成されたＥＰＧ画像を、前記推薦番組を強調させながら表示する表示部とを備えたものである。
【００１３】
本発明に係る画像表示装置は、前記チューナー部において選択されたチャンネルの映像と、前記ＥＰＧ画像生成部により生成されたＥＰＧ画像とを合成して前記表示部に表示させる映像合成部を更に備えたものである。
【発明を実施するための最良の形態】
【００１４】
実施形態１．
図１は本発明の実施形態１に係るデジタル放送受信装置の構成を示したブロック図である。このデジタル放送受信装置は、アンテナ１０、チューナー部１１、デマルチプレクサ部１２、音声復号部１３、映像復号部１４、ＥＰＧ取得部１５、音声出力部１６、ＥＰＧ画像生成部１７、映像合成部１８、及び表示部１９を備えている。このデジタル放送受信装置は、更に、視聴・録画番組履歴データベース（ＤＢ）２０、好みベクトル生成部２１、好みベクトル再構成部２２、番組ベクトル生成部２３、番組ベクトル記憶データベース（ＤＢ）２４、番組ベクトル再構成部２５、特徴マップ生成部２６、推薦番組検索部２７及び履歴情報忘却処理部２８を備えている。上記の各部は制御部２９によりそれぞれ制御され、制御部２９は例えばリモートコントローラ３０からの操作信号に基づいて上記の各部を制御する。なお、好みベクトル生成部２１及び好みベクトル再構成部２２は本発明の好みベクトル演算手段３１に相当し、番組ベクトル生成部２３、番組ベクトル記憶データベース２４及び番組ベクトル再構成部２５は本発明の番組ベクトル演算手段３２に相当する。
【００１５】
図１のデジタル放送受信装置において、ユーザーがリモートコントローラ３０を操作して見たいチャンネルを選択すると、制御部２９によりそのチャンネルに相当する選局信号が発生し、チューナー部１１には選局信号に対応したチャンネルが設定される。アンテナ１０は、周波数変換器を備えており、例えばＣＳ（Communication Satellite）から送られてくるデジタル放送信号を受信して、周波数変換した信号をチューナー部１１に出力する。チューナー部１１は、復調回路、逆インタリーブ回路、誤り訂正回路等を備えており、映像・音声データを含む高周波デジタル変調信号のうちから特定周波数の信号を取り出す処理をする。すなわち、デジタル放送の複数のトランスポンダのなかから一つを選択する処理を行う。デマルチプレクサ部（ＤＥＭＵＸ）１２は、前記トランスポート・ストリームを、例えばＭＰＥＧ２（Moving Picture Experts Group2）のビデオストリーム、オーディオストリーム、及びＰＳＩ／ＳＩ（Program Specific Information/Service Information）等に分離し、オーディオストリームを音声復号部１３に出力し、ビデオストリームを映像復号部１４に出力し、ＰＳＩ／ＳＩをＥＰＧ取得部１５にそれぞれ出力する。
【００１６】
音声復号部１３はオーディオデコーダ等を内蔵しており、入力された符号化信号を復号して音声信号（音声データ）を生成して音声出力部１６に出力する。音声出力部１６は、その音声信号をＤ／Ａ変換し、例えば右（Ｒ）音のアナログ信号及び左（Ｌ）音のアナログ信号を生成して増幅し、内蔵するスピーカーに出力することにより音声が得られる。
【００１７】
映像復号部１４はビデオデコーダ等を内蔵しており、入力された可変長符号を復号して量子化係数や動きベクトルを求め、逆ＤＣＴ変換や動きベクトルに基づく動き補償制御等を行って映像合成部１８に出力する。映像合成部１８は映像復号部１４からのＴＶ映像の映像信号とＥＰＧ画像生成部１７からのＥＰＧ表示画面の映像信号を合成して表示部１９に表示させる映像信号を生成する回路である。表示部１９は、映像合成部１８からの映像信号を処理して例えばＴＶ映像とＥＰＧとが合成された映像を表示する。
【００１８】
また、ＥＰＧ取得部１５は、デマルチプレクサ部（ＤＥＭＵＸ）１２からのＰＳＩ／ＳＩに基づいてＥＰＧ情報を取得し、それを例えば上記のＥＰＧ画像生成部１７に出力する。ＥＰＧ画像生成部１７では、ＥＰＧ情報を取得して上述のＥＰＧ表示画面の映像信号を生成して映像合成部１７に出力し、上述のように表示部１９にＥＰＧを表示させる。
【００１９】
以上の説明は従来のデジタル放送受信装置と同様であるが、本実施形態１の特徴を以下に説明する。
ＥＰＧ取得部１５は、チューナー部１１で選択されたチャンネルのＥＰＧ情報を視聴・録画番組履歴データベース２０に格納するとともに、表示部１９に表示可能なＥＰＧのＥＰＧ情報を番組ベクトル生成部２３に出力する。視聴・録画番組履歴データベース２０には、このように視聴又は録画された番組のＥＰＧ情報が格納されるが、ＥＰＧ情報としては、例えばジャンル名、番組名、番組記述、出演者等が格納される。このとき、視聴・録画番組履歴データベース２０にはユーザー毎にデータを格納してもよいし、全ユーザーの履歴を纏めて格納してもよい。なお、ユーザー単位は全ユーザーの何れに対応してＥＰＧ情報を格納するかの区別は、例えばリモートコントローラ３０に設定ボタンを取り付けておくことにより対応することができる。
【００２０】
推薦番組を検索する場合には、まず、好みベクトル生成手段１が好みベクトルを生成する。視聴・録画番組履歴データベース２０によりＥＰＧ情報を取得し、ＥＰＧ情報の内容から名詞を切り出し、各名詞の出現頻度を求める。また、出演者のように、明らかに人名が格納されているとわかる項目に関しては、名詞とは別に人名として出現頻度を求める。これら名詞出現頻度と人名出現頻度をまとめて好みベクトルと呼ぶ。
【００２１】
［表１］好みベクトルの例
［名詞］                  ［人名］
野球          １０        解説者Ａ          ５
野球チームａ    ９        解説者Ｂ          ４
野球チームｂ    ５        解説者Ｃ          １
野球チームｃ    ２        アナウンサーＡ    ５
野球チームｄ    １        アナウンサーＢ    ４
野球チームｅ    １        アナウンサーＣ    １
野球チームｆ    １
野球チームｇ    １
【００２２】
また、番組ベクトル生成部２３は、ＥＰＧ取得部１５から表示範囲のＥＰＧ情報を取得し、番組ごとに、好みベクトル生成部２１の場合と同様に、名詞・人名を切り出して出現頻度を求める。そうして、番組ごとに番組ベクトルを生成し、番組ベクトル記憶データベース２４に格納する。
【００２３】
［表２］番組ベクトルの例（名詞のみ）
ベクトルＡ        ベクトルＢ      ベクトルＣ         ベクトルＤ
野球          １  サッカー  １    テニス      １     相撲    １
野球チームａ  １  大阪      ２    シングルス  １     大阪    １
野球チームｂ  １                  女子        １     優勝    １
大阪          １                  ファイナル  １
なお、ベクトルＡ、ベクトルＢ、ベクトルＣ及びベクトルＤはそれぞれ異なった番組を意味する。なお、ベクトルＢにおいて、「大阪  ２」とあるが、これは大坂のチーム同士が試合をする場合の例である。
【００２４】
上記のように番組ベクトルの要素は番組ごとに大きく異なる。そのため、比較するには番組ベクトルの要素を再構成する必要がある。そこで、番組ベクトル再構成部２５は、番組ベクトル記憶データベース２４から番組ベクトルを読み込んで、全ての番組ベクトルに存在する名詞・人名全てを要素として持つ番組ベクトルに再構成することとする。また、頻度を正規化するために、各ベクトルごとに最大値が１となるように正規化する。
【００２５】
［表３］再構成した番組ベクトルの例（名詞のみ）
ベクトルＡ    ベクトルＢ    ベクトルＣ    ベクトルＤ
野球            １            ０            ０            ０
野球チームａ    １            ０            ０            ０
野球チームｂ    １            ０            ０            ０
サッカー        ０            ０．５        ０            ０
大阪            １            １            ０            １
テニス          ０            ０            １            ０
シングルス      ０            ０            １            ０
女子            ０            ０            １            ０
ファイナル      ０            ０            １            ０
相撲            ０            ０            ０            １
優勝            ０            ０            ０            １
【００２６】
また、好みベクトルの要素も番組ベクトルとは大きく異なるため、番組ベクトルも再構成する必要がある。そこで、好みベクトル再構成部２２は、好みベクトルの要素を上記のの番組ベクトルと合わせる。正規化の仕方も同様である。
【００２７】
［表４］好みベクトルの例（名詞のみ）
野球          １
野球チームａ          ０．９
野球チームｂ          ０．５
サッカー      ０
大阪          ０
テニス        ０
シングルス    ０
女子          ０
ファイナル    ０
相撲          ０
優勝          ０
【００２８】
次に、特徴マップ生成部２６は、上記の番組ベクトルに基づいて特徴マップを作成する。特徴マップの作成にはＳＯＭを用いる。ＳＯＭは相互結合ニューラルネットワークの一種であり、多次元のベクトルを低次元のベクトルへ写像すると同時に、ベクトル間の類似度が高いものほど距離が近くなるように写像することができる。そのため、人間の視覚で理解しやすい特徴マップを作成することができる。ここでは、好みベクトル１１次元のベクトルを２次元の特徴マップへ写像する。
【００２９】
図２は特徴マップの例を示した図である。同図のＡ、Ｂ、Ｃ、Ｄは番組ベクトルの配置を示しており、ベクトル間の類似度が高いものほど距離が近く、類似度が低いものほど距離が遠くなるように配置されている。
【００３０】
推薦番組検索部２７は、好みベクトル再構成部２２により再構成された好みベクトルをＳＯＭに入力する。そうすると、特徴マップ（図２）上で好みベクトルに最も近いニューロンが発火する。この発火点から最近傍又は一定距離内の番組を検索し、その番組を推薦番組とする。この例では、番組ベクトルＡの傍で発火し、他のベクトルに対しては比較的遠いことから、番組Ａを推薦番組とする。推薦番組検索部２７は、この番組ベクトルＡを推薦番組としてＥＰＧ画像生成部１７に出力する。ＥＰＧ画像生成部１７は、ＥＰＧ取得部１５からの番組の内、推薦番組が強調表示されるように信号処理を施して映像合成部１８を介して表示部１９に出力し、推薦番組が強調された番組が表示される。この例では番組Ａが強調表示される。この強調表示によってユーザーが推薦番組を容易に把握することができる。なお、推薦番組の強調表示は、例えば該当する番組のタイトルを他の番組の色とは異なる色で表示したり、点滅表示をしたりすることにより行うことができる。
【００３１】
また、視聴・録画番組履歴データベース２０の内容は一定期間ごとに再構築するのが好ましい。例えば、シリーズもののドラマの場合には３ヶ月毎に新番組となる。その度にユーザーの興味の度合いは変化する。そこで、履歴情報忘却処理部２８は、一定期間ごとに過去の視聴・録画情報を忘却する。例えば、視聴・録画をしてから一定期間たったＥＰＧ情報を忘れるようにする。こうすることで、最近興味のある番組を的確に推薦することができる。或いは、所定期間頻度が増加しなかった番組や、日付に重み係数を付けておいて（日付が古くなる程重み係数を小さくする）重み係数が小さくなった番組を削除したりする。また、番組を削除する際にはその番組数を設定しておいて削除する。
【００３２】
以上のように本実施形態１においては、視聴・録画番組履歴データベース２０に格納された番組の履歴情報から少なくとも名詞を含む情報を取り出し、その情報の出現頻度を求めて好みベクトルを生成し、また、デジタルテレビ放送のＥＰＧの表示範囲の番組毎に、少なくとも名詞を含む情報の出現頻度を求めて番組ベクトルを生成し、その番組ベクトルに所定の処理を施したものを参照ベクトルとして自己組織化マップに入力して特徴マップを生成するとともに、好みベクトルに所定の処理を施して自己組織化マップに入力し、特徴マップの内、発火したニューロンの近傍に位置する番組を推薦番組として案内するようにしたので、好みベクトルに類似した番組ベクトルを抽出することができ、ジャンルにとらわれず、ユーザーの視聴履歴に応じて柔軟な番組推薦を行うことができる。
【００３３】
また、本実施形態１においては、履歴情報忘却処理部２８が視聴・録画番組履歴データベース２０に格納された履歴情報を予め設定された規則に従って削除して更新するようにしたので、嗜好が変わったり、或いは番組の傾向が変わったりした場合においても対応できる。
【００３４】
また、本実施形態１において、履歴情報忘却処理部２８には視聴ユーザーごとに履歴情報が格納され又は全てのユーザーの履歴情報が一括して格納されるので、例えば視聴ユーザーごとに履歴情報が蓄積することにより、個人の嗜好に対応した推薦番組を案内することができる。或いは、全てのユーザーの履歴情報を一括して蓄積することにより例えば家族の嗜好に対応した推薦番組を案内することができる。
【００３５】
実施形態２．
なお、上記の実施形態１ではアンテナ１０によりテレビ番組の映像信号等を取り込む例について説明したが、例えば光ケーブル等のケーブルにより取り込んでもよい。
また、上記の実施形態１は画像表示装置としてデジタル放送受信装置の例について説明したが、例えば音声出力部１６、表示部１９等を備えない受信装置としても本発明は成立し、例えばそのような受信装置をビデオレコーダーに内蔵させて、視聴ユーザーの録画の履歴情報によりその嗜好に対応した推薦番組が得られるようにしてもよい。
【図面の簡単な説明】
【００３６】
【図１】本発明の実施形態１に係るデジタル放送受信装置の構成を示したブロック図である。
【図２】特徴マップの例を示した図である。
【符号の説明】
【００３７】
１０ アンテナ、１１ チューナー部、１２ デマルチプレクサ部、１３ 音声復号部、１４ 映像復号部、１５ ＥＰＧ取得部、１６ ＥＰＧ画像生成部、１６ 音声出力部、１７ ＥＰＧ画像生成部、１８ 映像合成部、１９ 表示部、２０ 録画番組履歴データベース（ＤＢ）、２１ 好みベクトル生成部、２２ 好みベクトル再構成部、２３ 番組ベクトル生成部、２４ 番組ベクトル記憶データベース（ＤＢ）、２５ 番組ベクトル再構成部、２６ 特徴マップ生成部、２７ 推薦番組検索部、２８ 履歴情報忘却処理部、２９ 制御部、３０ リモートコントローラ、３１ 好みベクトル演算手段、３２ 番組ベクトル演算手段。
【図１】
2007202023.tif 000003
【図２】
2007202023.tif 000004